(57)【要約】    【課題】  眼部を自動でマッサージでき、マッサージの強弱制御及び振動モード制御のできる眼部マッサージ器を提案する。    【解決手段】  顔の眼部に装着するマッサージ器本体５０と、操作ユニット７からなり、マッサージ器本体５０に、振動を発生させるモータＭ１、Ｍ２と、モータＭ１、Ｍ２から伝達される振動によって眼部周囲へのマッサージを行う振動突起８を設け、操作ユニット７に、モータＭ１、Ｍ２と接続され、モータの振動動作を制御するコントロール回路を組み込んだ構造とする。【選択図】      図１
0003104947.tif 000002
【実用新案登録請求の範囲】
【請求項１】
顔の眼部に装着するマッサージ器本体と、操作ユニットからなり、
前記マッサージ器本体に、振動を発生させるモータと、該モータから伝達される振動によって眼部周囲へのマッサージを行う振動突起を設け、
前記操作ユニットに、前記モータと接続され、前記モータの振動動作を制御するコントロール回路を組み込んだ構造としたことを特徴とする眼部マッサージ器。
【請求項２】
前記マッサージ器本体に、前記モータを２つ設け、前記操作ユニットの前記コントロール回路により、２つのモータの振動頻度と振動強度を個別に又は同時に制御することを特徴とする請求項１に記載の眼部マッサージ器。
【請求項３】
前記コントロール回路に、前記モータの振動によるマッサージの種類を設定するための複数のマッサージモードをプログラミングした集積回路を組み込んだことを特徴とする請求項１又は請求項２に記載の眼部マッサージ器。
【請求項４】
前記マッサージ器本体が、アングル板と、当該アングル板の背面に取り付けられる定位板と、前記定位板の上に設けられる移動板から構成され、前記定位板と前記移動板は係止突起と係止溝により左右に移動可能に取り付けられることを特徴とする請求項１から請求項３の何れか１項に記載の眼部マッサージ器。
【請求項５】
前記移動板の前記係止突起が、前記定位板の前記係止溝に対応して位置することを特徴とする請求項４に記載の眼部マッサージ器。
【請求項６】
２つの前記移動板が、前記定位板の左右に取り付けられ、移動板の各々に３つの前記係止突起を設け、前記定位板に、左右の移動板の前記係止突起に対応して６つの係止溝を設けたことを特徴とする請求項４又は請求項５に記載の眼部マッサージ器。
【請求項７】
前記定位板の前記係止溝に定位溝を設けたことを特徴とする請求項４から請求項６の何れか１項に記載の眼部マッサージ器。
【請求項８】
前記定位板に固定穴を設け、前記アングル板上の前記固定穴と対応する位置に、前記固定穴にはめ込まれる固定柱を設けたことを特徴とする請求項４に記載の眼部マッサージ器。
【請求項９】
前記操作ユニットの前記コントロール回路が、ケーブルで前記アングル板上の前記モータと接続され、前記モータによる振動動作をリモートコントロールできることを特徴とする請求項１に記載の眼部マッサージ器。
【請求項１０】
２つの前記モータを前記アングル板の左右両側に取り付けたことを特徴とする請求項４に記載の眼部マッサージ器。
【請求項１１】
前記アングル板の両側に、側翼部を設け、該側翼部の先端に互いに繋がるバンドを設け、該バンドを頭部にかけることで装着することを特徴とする請求項４から請求項１０の何れか１項に記載の眼部マッサージ器。
【請求項１２】
前記振動突起がシリコンによって形成され、かつ先端に凹部を形成し、当該凹部に天然鉱石原料のセラミックボールを埋め込んだことを特徴とする請求項１から請求項１１の何れか１項に記載の眼部マッサージ器。
【請求項１３】
前記振動突起がシリコンによって形成され、かつ先端に凹部を形成し、当該凹部に磁性体からなるボールを埋め込んだことを特徴とする請求項１から請求項１１の何れか１項に記載の眼部マッサージ器。
【請求項１４】
前記モータの回転軸に、回転により振動を発生させるための錘を取り付けたことを特徴とする請求項１から請求項１３の何れか１項に記載の眼部マッサージ器。
【考案の詳細な説明】
【技術分野】
【０００１】
本考案は、眼部をマッサージするための眼部マッサージ器に関し、特に、眼部を自動でマッサージできる眼部マッサージ器に関する。
【背景技術】
【０００２】
目の健康のためには、他の器官と同様に日常生活の中で良い習慣を守り、同時に積極的な目の健康保持を行うことが重要であり、そうした生活をすることにより、よい視力も維持することができる。
【０００３】
長時間にわたって対象を見たり、一つの対象を長時間凝視した後は、誰もが目の疲労を覚える。そうした場合に目の疲労を取り除くには、眼部をマッサージすることが効果的であり、マッサージすることで眼部の緊張がほぐれリラックス感を感じる。日常生活において習慣的にしっかり眼部をマッサージすることによって、長期間よい視力を維持することができるようになる。通常、こうした眼部のマッサージは人の手によって行われている。
【考案の開示】
【考案が解決しようとする課題】
【０００４】
上述したように、従来、眼部のマッサージは人の手によって行われているが、本人が自分の手でマッサージする場合には手が疲れてしまうと共に、よりよいマッサージ効果が得られにくいという問題点がある。
【０００５】
また、他人にマッサージを頼む場合には費用がかかってしまうという問題がある。特に、長期的に繰り返し他人にマッサージを依頼する場合には、極めて多額の費用がかかってしまうことになる。
【０００６】
本考案の目的は、眼部を自動でマッサージでき、マッサージの強弱制御のできる眼部マッサージ器を提案することにある。
【０００７】
本考案の他の目的は、眼部をマッサージできる振動頭が使用者のツボと皮膚にぴったり当たり、いろいろな振動モードを有し、同時に大量生産によって生産と管理のコストを削減できる眼部マッサージ器を提案することにある。
【０００８】
本考案の目的は、技術の現状から、いろいろな振動モードを持ち、使用者が便利にマッサージモードを選択できる眼部をマッサージする装置を提案することにある。
【０００９】
本考案の他の目的は、使用者が自分の顔に合わせて振動頭を調整して、最適なマッサージ効果をもつ、眼部マッサージ器を提案することにある。
【課題を解決するための手段】
【００１０】
上記目的を達成する本考案の眼部マッサージ器は、顔の眼部に装着するマッサージ器本体と、操作ユニットからなり、前記マッサージ器本体に、振動を発生させるモータと、該モータから伝達される振動によって眼部周囲へのマッサージを行う振動突起を設け、前記操作ユニットに、前記モータと接続され、前記モータの振動動作を制御するコントロール回路を組み込んだ構造としたことを特徴とする。
【００１１】
請求項２の本考案の眼部マッサージ器は、前記マッサージ器本体に、前記モータを２つ設け、前記操作ユニットの前記コントロール回路により、２つのモータの振動頻度と振動強度を個別に又は同時に制御することを特徴とする。
【００１２】
請求項３の本考案の眼部マッサージ器は、前記コントロール回路に、前記モータの振動によるマッサージの種類を設定するための複数のマッサージモードをプログラミングした集積回路を組み込んだことを特徴とする。
【００１３】
請求項４の本考案の眼部マッサージ器は、前記マッサージ器本体が、アングル板と、当該アングル板の背面に取り付けられる定位板と、前記定位板の上に設けられる移動板から構成され、前記定位板と前記移動板は係止突起と係止溝により左右に移動可能に取り付けられることを特徴とする。
【００１４】
請求項５の本考案の眼部マッサージ器は、前記移動板の前記係止突起が、前記定位板の前記係止溝に対応して位置することを特徴とする。
【００１５】
請求項６の本考案の眼部マッサージ器は、２つの前記移動板が、前記定位板の左右に取り付けられ、移動板の各々に３つの前記係止突起を設け、前記定位板に、左右の移動板の前記係止突起に対応して６つの係止溝を設けたことを特徴とする。
【００１６】
請求項７の本考案の眼部マッサージ器は、前記定位板の前記係止溝に定位溝を設けたことを特徴とする。
【００１７】
請求項８の本考案の眼部マッサージ器は、前記定位板に固定穴を設け、前記アングル板上の前記固定穴と対応する位置に、前記固定穴にはめ込まれる固定柱を設けたことを特徴とする。
【００１８】
請求項９の本考案の眼部マッサージ器は、前記操作ユニットの前記コントロール回路が、ケーブルで前記アングル板上の前記モータと接続され、前記モータによる振動動作をリモートコントロールできることを特徴とする。
【００１９】
請求項１０の本考案の眼部マッサージ器は、２つの前記モータを前記アングル板の左右両側に取り付けたことを特徴とする。
【００２０】
請求項１１の本考案の眼部マッサージ器は、前記アングル板の両側に、側翼部を設け、該側翼部の先端に互いに繋がるバンドを設け、該バンドを頭部にかけることで装着することを特徴とする。
【００２１】
請求項１２の本考案の眼部マッサージ器は、前記振動突起がシリコンによって形成され、かつ先端に凹部を形成し、当該凹部に天然鉱石原料のセラミックボールを埋め込んだことを特徴とする。
【００２２】
請求項１３の本考案の眼部マッサージ器は、前記振動突起がシリコンによって形成され、かつ先端に凹部を形成し、当該凹部に磁性体からなるボールを埋め込んだことを特徴とする。
【００２３】
請求項１４の本考案の眼部マッサージ器は、前記モータの回転軸に、回転により振動を発生させるための錘を取り付けたことを特徴とする。
【考案の効果】
【００２４】
本考案によれば、２つのモータを使用し、要求に応じて両眼をマッサージする状態や強さを調整でき、複数のマッサージモードをプログラミングした集積回路によって自由に動作状態を調整できる優れた眼部マッサージ器を提供することができる。
【００２５】
また、回路構成が簡単で、信頼性の高い眼部マッサージ器を提供することができる。
【００２６】
人間の眼部の形状は大小それぞれ違いがあるが、マッサージ器の振動突起を目の周囲のツボや皮膚に正しく当てるために、使用者の要求によって振動突起を自由に移動できる構造とすることにより、正しい眼部のツボと皮膚に正確に合わせて、最適なマッサージ効果が達成できる。
【００２７】
この眼部用の電動式マッサージ器の振動突起にセラミックボール又は磁性体のボールを設けることにより、マイナスイオンと遠赤外線の自然放射により、眼の疲労改善・視力維持効果や、目もとのシワ・たるみの改善効果や顔のむくみの改善効果を高め、更に美肌効果を高めることができる。
【００２８】
マッサージ器本体と、操作ユニットに分けて構成し、操作ユニットをリモートケーブルで接続する構成とすることにより、マッサージ器本体の軽量化が図られ、眼部に負担なく装着することができると共に、リモート操作で動作モードを調整することができ、操作の利便性が向上する。
【実施例】
【００２９】
以下、本考案の一実施例について図面を参照して詳細に説明する。
【００３０】
図１に本実施例による眼部マッサージ器の外観を示す全体斜視図を示す。図２にマッサージ器本体の分解斜視図を示す。図４に眼部マッサージ器を裏側からみた状態の斜視図を示す。図８に眼部マッサージ器を前面からみた状態の斜視図を示す。
【００３１】
本実施例による眼部マッサージ器は、マッサージ器本体５０と、リモートコード１７によってマッサージ器本体５０と接続される操作ユニット７とで構成される。
【００３２】
操作ユニット７の操作ボタン７ａやダイヤル７ｂを操作することにより、リモート操作によってマッサージの強弱やリズムを変えるなどの制御を行うことができるようになっている。
【００３３】
マッサージ器本体５０は、前面を覆うアングル板１２と、アングル板１２の裏側に固定される定位板９と、定位板９の両側部に折り畳み可能に取り付けられる側翼部１３と、定位板９に装着される２つの移動板１０と、定位板９の中央に固着される固定板２０及び側翼部１３の内側に固着される固定板３０とで構成される。
【００３４】
これら移動板１０、固定板２０及び３０には、それぞれシリコンによって形成される振動突起８が設けられている。
【００３５】
この振動突起８の先端には、図３に示すように凹部８ａが形成されており、この凹部８ａに、天然鉱石原料のセラミックボール８ｂを埋め込んでいる。
【００３６】
本考案の考案者は、眼部マッサージ器によって目の周りのツボや皮膚をマッサージすることで、眼の疲労改善や視力維持の効果が得られるだけでなく、目もとのシワやたるみの改善、顔のむくみの改善等の美容上の効果も得られることを見出した。
【００３７】
一方で、マイナスイオンや遠赤外線が人体に作用すると細胞の活性化や抗酸化の効果があること、かつマイナスイオンは皮膚吸収の場合、特にツボ部分からより効率よく吸収されることが知られており、このことから、本考案の考案者は、ツボや皮膚に接する眼部マッサージ器の振動突起８にマイナスイオンや遠赤外線を発する物質を取付けることで、美容効果を更に高めることができることを見出した。そこで、そのような物質として、常温、常態でもマイナスイオンや遠赤外線を自然放射する人体用に開発された天然鉱石原料のセラミックボール８ｂを利用することとした。
【００３８】
この眼部式マッサージ器の振動突起８にセラミックボール８ｂを取り付けることにより、マイナスイオンと遠赤外線の自然放射により、眼の疲労改善・視力維持効果や、目もとのシワ・たるみの改善効果や顔のむくみの改善効果を高め、更に美肌効果を高めることが可能となる。
【００３９】
図５に示すように、アングル板１２の裏側の左右２カ所には、マッサージのための振動源となるモータＭ１、Ｍ２が固着されている。モータＭ１、Ｍ２の回転軸には、図１、図５に示すように、回転によって振動を発生させるための振動錘Ｎ１、Ｎ２がそれぞれ取り付けられている。
【００４０】
アングル板１２は、眼部を覆う形状に形成されている。モータＭ１、Ｍ２の回転による振動が、定位板９上の移動板１０、固定板２０及び側翼部１３の固定板３０の振動突起８に伝達されて振動する。この振動突起８の振動によって、眼部の周りのツボと皮膚のマッサージがなされる。
【００４１】
定位板９上に固定穴５があり、アングル板１２上の対応する位置には固定柱６があり、固定穴５と固定柱６をはめ込むことにより、アングル板１２の裏側に定位板9を固定する。
【００４２】
図７に示すように、定位板９上の左右に、２つの移動板１０が取り付けられる。
【００４３】
この移動板１０には、それぞれ、３つの係止突起１が設けられており、定位板９の対応する位置には、係止突起１を差し込むための定位溝１１と定位溝１１から横方向に延びる係止溝２が一体に形成されている。この定位溝１１と係止溝２は、２つの移動板１０の係止突起１に対応させて６カ所に形成されている。
【００４４】
移動板１０の係止突起１を定位板９の定位溝１１に差し込み、係止溝２に沿って移動板１０を左右に動かすことにより、移動板１０上の振動突起８の位置を使用者の顔面形状に合わせて適切な位置に調整することができるようになっている。
【００４５】
すなわち、使用者が左右の移動板１０を移動すると振動突起８も移動するので、振動突起８を眼部のツボをマッサージする位置に合うように調整して使用する。
【００４６】
アングル板１２の両側部と側翼部１３とは、回転軸によって回動可能に連結されている。また、側翼部１３の先端には、バンド孔１４が形成されており、眼部マッサージ器は左右の側翼部１３のバンド孔１４に取り付けたバンド４０を頭部にかけることにより、眼部のマッサージする位置に当てた状態で安定して保持することができるようになっている。
【００４７】
操作ユニット７の外観図を図６に示す。操作ユニット７には、モータＭ１、Ｍ２を駆動するための電源である電池と、モータＭ１、Ｍ１の動作モードを制御するためのコントロール回路が組み込まれている。これにより、操作ボタン７ａやダイヤル７ｂを操作することにより、リモート操作によってマッサージの強弱やリズムを変えるなどの制御を行うことができるようになっている。
【００４８】
操作ユニット７に組み込まれているコントロール回路について、コントロール回路の一回路構成例を示す図９を参照して説明する。
【００４９】
コントロール回路の集積回路IC1(型番H784006-19)は、入力指示によって様々なパルス頻度の出力パルス電流を発し、その出力パルス電流が１つか或は幾つか並列のトランジスタに繋がり、モータＭ１、Ｍ２を駆動する。
【００５０】
モータＭ１、Ｍ１は、多様な頻度や強度の振動を発生できる。モータは２つを並列に接続したモータM1とM2であることから、２つのモータM1とM2の振動によって左右眼部のツボと皮膚が別々にマッサージされることになる。
【００５１】
本実施例では、モータＭ１、Ｍ２を駆動するトランジスタとして、並列に接続したトランジスタQ1,Q2とQ3を有し、トランジスタQ1,Q2とQ3のベースが制限流量抵抗R1,R2とR3に分かれて通じて集積電路IC1に接続されている。
【００５２】
また、トランジスタQ1とQ2のコレクターはモータＭ１、Ｍ２に接続されている。トランジスタQ3のコレクターは、抵抗R6を介してモータＭ２に繋がる。
【００５３】
トランジスタQ1のエミッターは直接電源Eに繋がる。トランジスタQ2のエミッターは抵抗R5を介して電源Eに繋がる。トランジスタQ3のエミッターは抵抗R5を介して電源Eに繋がる。
【００５４】
トランジスタQ1をＯＮにした時、電源Eが直接モータに繋がり、作業電圧が最も大きくなり、振動強度が最も強くなる。
【００５５】
トランジスタQ2をＯＮにした時、電源Eは抵抗R5を経由してモータに繋がり、作業電圧は抵抗R5により一次減衰することにより、振動強度は中程度の強さとなる。
【００５６】
また、トランジスタQ３をＯＮにした時、電源Eは直列抵抗R5とR6を経由してモータに繋がり、作業電圧は抵抗R5とR6で２次減衰することにより、振動強度は最小となる。
【００５７】
集積回路IC1への入力は直接、１つか或は幾つかのコントロールスイッチS1、S2、S3（操作ユニット７の操作ボタン７ａによって操作される）をＯＮ、ＯＦＦすることにより、上述した振動強度の動作状態が設定される。
【００５８】
集積電路IC1の１つの出力はトランジスタQ4を経由して、スピーカSPKに接続され、信号により作業状態を通知する。
【００５９】
振動回路は、４つの集積回路IC2、コンデンサ C2、抵抗R7、同調用抵抗W1で構成される。同調用抵抗W1は振動頻度を調整する、同調用抵抗W2は振動幅を調整する。スイッチK1とK2は並列スイッチである。
【００６０】
スイッチK1とK2が「１」の位置にセットされている時、２つのモータＭ１、Ｍ２は順番にマッサージ振動を発生する。スイッチK1とK2が「２」の位置に設定されている時、２つのモータＭ１、Ｍ２は同時にマッサージ振動を発生する。
【００６１】
モータＭ１、Ｍ２の振動出力が振動突起部８に伝達されることにより、眼部のツボと皮膚のマッサージが実行される。
【００６２】
上記のように構成されるコントロール回路は、操作ユニット７に組み込まれており、リモートケーブル１７を通じて、アングル板１２上のモータと接続して制御を行う。
【００６３】
使用者は、眼部マッサージ器を使う時、手で操作ユニット７を持って自由にマッサージ器の動作状態の調整を行うことができる。
【００６４】
操作ユニット７をマッサージ器本体５０と別の単体のユニットとすることにより、マッサージ器本体５０の軽量化が図られると共に、操作の利便性が得られる。
【００６５】
上述した本実施例の眼部マッサージ器は、簡単な構造設計で、良好なマッサージ効果を実現し、設定によって十数種類のマッサージモードを任意に切り替えることにより、モードによって異なる効果が得られるものである。マッサージ動作に信頼性があり、動作状態は使用者によって自由に調整でき、使用方法も簡単である。さらに、デザイン的にも洗練されており、実用性を備えた設計となっている。
【００６６】
以上好ましい複数の実施例をあげて本考案を説明したが、本考案は必ずしも、上記実施例に限定されるものでなく、その技術的思想の範囲内において様々に変形して実施することができる。
【００６７】
上記実施例では、振動突起８にセラミックボール８ｂを取り付けた構成を示したが、セラミックボール８ｂの代わりに、磁性体のボールを取り付けることで、磁力の効果として知られている血行促進効果等をマッサージ効果と合わせることが可能となる。この磁力の効果により、セラミックボール８ｂの場合と同様に、眼の疲労改善・視力維持効果、目もとのシワ・たるみの改善効果や顔のむくみの改善効果を高め、更に美肌効果を高めることが可能となる。
【図面の簡単な説明】
【００６８】
【図１】本考案の実施例による眼部マッサージ器の外観を示す全体斜視図である。
【図２】本考案の実施例による眼部マッサージ器本体の分解斜視図である。
【図３】本考案の実施例による振動突起の拡大図である。
【図４】本考案の実施例による眼部マッサージ器を裏側からみた状態の斜視図である。
【図５】本考案の実施例による眼部マッサージ器のアングル板の裏側の状態を示す図である。
【図６】本考案の実施例による操作ユニットの斜視図である。
【図７】本考案の実施例による眼部マッサージ器の定位板と移動板を示す図である。
【図８】本考案の実施例による眼部マッサージ器を前面からみた状態の斜視図である。
【図９】操作ユニットに組み込まれるコントロール回路の回路構成例を示す図である。
【符号の説明】
【００６９】
１：係止突起
２：係止溝
５：固定穴
６：固定柱
７：操作ユニット
７ａ：操作ボタン
７ｂ：ダイヤル
８：振動突起
８ａ：凹部
８ｂ：セラミックボール
９：定位板
１０：移動板
１１：定位溝
１２：アングル板
１３：側翼部
１４：バンド孔
１７：リモートコード
２０、３０：固定板
４０：バンド
５０：マッサージ器本体
Ｍ１、Ｍ２：モータ
Ｎ１、Ｎ２：錘
【図１】
0003104947.tif 000003
【図２】
0003104947.tif 000004
【図３】
0003104947.tif 000005
【図４】
0003104947.tif 000006
【図５】
0003104947.tif 000007
【図６】
0003104947.tif 000008
【図７】
0003104947.tif 000009
【図８】
0003104947.tif 000010
【図９】
0003104947.tif 000011